(57)【要約】【課題】ＬＥＤ照明体を用いても、効果を発揮する所望の位置に光を照射できる照明器具の提供を課題とする。【解決手段】本発明の照明器具１は、光を発する発光部を有する直管状のＬＥＤ照明体と、前記発光部の向きを変えられるように前記ＬＥＤ照明体を支持する支持体とを備え、前記支持体は、前記ＬＥＤ照明体を軸方向周りに回転可能に支持し、摩擦により位置保持できるよう構成される。【選択図】図１
2018092719.tif 000002
【特許請求の範囲】
【請求項１】
光を発する発光部を有する直管状のＬＥＤ照明体と、
前記発光部の向きを変えられるように前記ＬＥＤ照明体を支持する支持体とを備え、
前記支持体は、前記ＬＥＤ照明体を軸方向周りに回転可能に支持し、摩擦により位置保持できることを特徴とする照明器具。
【請求項２】
前記支持体は、前記ＬＥＤ照明体の少なくともいずれか一方の端部に取り付けられたキャップと、該キャップに当接する当接面を有するステーとを備え、前記ＬＥＤ照明体は前記キャップと前記ステーとの当接による摩擦により位置保持されることを特徴とする請求項１に記載の照明器具。
【請求項３】
前記支持体は、前記ＬＥＤ照明体の外周面に弾性をもって当接することで位置保持する照明体ホルダを備えることを特徴とする請求項１又は２に記載の照明器具。
【請求項４】
前記ＬＥＤ照明体の外側に外挿される保護管と、前記ＬＥＤ照明体の上端部を覆う防雨カバーとを備えたことを特徴とする請求項１乃至３のいずれか１項に記載の照明器具。
【請求項５】
前記発光部から発する光は、夜間に飛翔する虫に対して低誘引性であることを特徴とする請求項１乃至４のいずれか１項に記載の照明器具。
【発明の詳細な説明】
【技術分野】
【０００１】
本発明は、照明器具に関し、特に屋外用途に好適な照明器具に関する。
【背景技術】
【０００２】
屋外用途の照明器具は、十分な耐候性を有することは勿論であるが、使用用途に適した照明性能を有することも重要である。例えば、果樹園においては、夜行性の虫（蛾等）による果実の食害を避けるために、夜間における虫の飛来を抑制する特殊な照明器具が用いられる。
【０００３】
この照明器具は、照明器具の備える照明体が虫に対して低誘引性である波長の光を発することで、夜間において果樹等の植物に虫を引き寄せることを抑制する。従来では、前記照明体として、蛍光灯が用いられていた（例えば特許文献１）。
【先行技術文献】
【特許文献】
【０００４】
【特許文献１】特開２００５−３０４３４０号公報
【特許文献２】特開２０１６−１０３０１７号公報
【発明の概要】
【発明が解決しようとする課題】
【０００５】
ところで、最近、照明体として蛍光灯が用いられていたもののＬＥＤ化が進展し、例えば、防虫用の照明体においてもＬＥＤ化が図られ、防虫用のＬＥＤ照明体に関する出願が本願の出願人によりなされている（特許文献２）。
【０００６】
しかし、従来の蛍光灯の照射範囲が３６０°であったのに対し、ＬＥＤ照明体は一般的に複数の発光ダイオードが一列に並べられて構成されていることから、光が発光ダイオードの前方の所定範囲にのみ照射される。このため、照射範囲が狭いという性質がある。
【０００７】
そこで、ＬＥＤ照明体を用いても、効果を発揮する所望の位置に光を照射できる照明器具の提供を課題とする。
【課題を解決するための手段】
【０００８】
本発明は、光を発する発光部を有する直管状のＬＥＤ照明体と、前記発光部の向きを変えられるように前記ＬＥＤ照明体を支持する支持体とを備え、前記支持体は、前記ＬＥＤ照明体を軸方向周りに回転可能に支持し、摩擦により位置保持できることを特徴とする。
【０００９】
上記構成により、ＬＥＤ照明体の発光部を所望の向きを向くように配置できる。また、ＬＥＤ照明体は、支持体の摩擦により位置保持されるので、ＬＥＤ照明体の回転位置の保持が容易である。
【００１０】
前記支持体は、前記ＬＥＤ照明体の少なくともいずれか一方の端部に取り付けられたキャップと、該キャップに当接する当接面を有するステーとを備え、前記ＬＥＤ照明体は前記キャップと前記ステーとの当接による摩擦により位置保持される構成を採用することができる。
【００１１】
上記構成により、キャップとステーとの当接による摩擦により、ＬＥＤ照明体を位置保持することで、ＬＥＤ照明体の回転位置の保持が容易である。
【００１２】
前記支持体は、前記ＬＥＤ照明体の外周面に弾性をもって当接することで位置保持する照明体ホルダを備える構成を採用することができる。
【００１３】
上記構成より、ＬＥＤ照明体の位置保持は、照明体ホルダを備えた支持体の弾性によってなされるので、ＬＥＤ照明体の回転位置を容易に調整できる。
【００１４】
前記ＬＥＤ照明体の外側に外挿される保護管と、前記ＬＥＤ照明体の上端部を覆う防雨カバーとを備えた構成を採用することができる。
【００１５】
上記構成により、保護管によりＬＥＤ照明体を雨水や砂粒等から保護することができ、防雨カバーによりＬＥＤ照明体への雨や雪による浸水を防止できるため、ＬＥＤ照明体の耐候性を向上できる。
【００１６】
前記発光部から発する光は、夜間に飛翔する虫に対して低誘引性である構成を採用することができる。
【００１７】
上記構成により、防蛾灯等、夜間における虫の飛来を抑制する照明器具として好適である。
【発明の効果】
【００１８】
本発明によれば、ＬＥＤ照明体を用いても、効果を発揮する所望の位置に光を照射できる、という優れた効果を奏する。
【図面の簡単な説明】
【００１９】
【図１】図１は、本発明の一実施形態に係る照明器具の側面図。
【図２】図２は、図１の正面図。
【図３】図３は、ＬＥＤ照明体を取り外した状態を示す照明器具の側面図。
【図４】図４は、ＬＥＤ照明体の支持用キャップを示す断面図。
【図５】図５は、図１の上面図。
【発明を実施するための形態】
【００２０】
本発明の一実施形態に係る照明器具について図面を参照して説明する。本実施形態の照明器具１は、梨園や桃園等の果樹園で夜間点灯して使用され、果樹園において夜行性の虫の飛来による果実の食害を防止している。
【００２１】
本実施形態の照明器具１は、図１〜図３に示すように、主に、ＬＥＤ照明体２と、電力供給部３と、支持体４と、保護管５と、防雨カバー６とを備える。
【００２２】
ＬＥＤ照明体２は、軸方向が支柱の長手方向に沿う方向、例えば上下となるように取り付けられる。ＬＥＤ照明体２は、飛翔する虫に対して低誘引性である波長の光を発する発光部を備える。該発光部は、光源としての複数の発光ダイオード（図示せず）と、光源を包囲する直管状の透光性筒体２０とを備える。複数の発光ダイオードは、例えば平板状である基板上に、軸方向に並べられている。
【００２３】
透光性筒体２０は、円筒状の光拡散体であり、例えば特許文献２に記載のように、基材樹脂と、光拡散剤と、３００〜５００ｎｍの波長領域の光の少なくとも一部をカットする色素とを含み、波長３００〜５００ｎｍの平均光透過率が５％以下であることで、３００〜５００ｎｍの波長領域の光をより効果的に低減することができる。例えば、５００ｎｍよりも短い波長の光を低減することにより、虫に対する誘引性が低い照明器具とすることができる。なお、本明細書において、虫に対する誘引性が低い低誘引性の照明器具とは、照明器具を点灯した際の走光性の虫の誘引が少ないこと、及び、夜行性の夜蛾類に照射すると夜蛾が「昼」と勘違いすることで行動抑制する所謂防蛾効果を示すことのうちの少なくとも一方の効果を奏する照明器具を表す。なお、透光性筒体２０の厚みは、軽量化が望まれていることから、０．７〜２ｍｍの範囲内であることが好ましい。
【００２４】
基材樹脂は、照明を実現できる程度の光透過性を有するものであれば特に限定されるものではないが、例えば、ポリカーボネート系樹脂；アセチルセルロース、ニトロセルロース、アセチルブチルセルロース、エチルセルロース、メチルセルロース等のセルロース誘導体；酢酸ビニルの単独重合体又は共重合体、塩化ビニルの単独重合体又は共重合体、塩化ビニリデンの単独重合体又は共重合体；ポリビニルホルマール、ポリビニルブチラール等のアセタール系樹脂；アクリル樹脂（ポリアクリル酸エステル）及びその共重合樹脂、メタクリル樹脂（ポリメタクリル酸エステル）及びその共重合樹脂等の（メタ）アクリル系樹脂；ポリスチレン樹脂；ポリアミド樹脂；ポリエチレンテレフタラート樹脂（以下「ＰＥＴ樹脂」と略記する）等の線状ポリエステル樹脂等が挙げられる。これらの樹脂の中では、透明性、耐熱性、衝撃強度の観点から、ポリカーボネート系樹脂、（メタ）アクリル樹脂、ＰＥＴ樹脂が好ましく、それらの中でも、耐熱性及び耐衝撃性に優れるポリカーボネート系樹脂が特に好ましい。
【００２５】
光拡散剤としては、透明粒子が好適である。前記透明粒子は、光透過性を有する粒子であればよい。前記透明粒子は、均一な屈折率を有する粒子（例えば、単一の材質からなる粒子や、同一の屈折率を有するコア及びシェルからなるコア・シェル型粒子）であってもよいし、屈折率が異なる複数の部分から構成される粒子（例えば、異なる屈折率を有するコア及びシェルからなるコア・シェル型粒子）であってもよい。
【００２６】
色素は、３００〜５００ｎｍの波長領域の光の少なくとも一部をカットする特性を有するものであるものであればよいが、紫外可視吸収スペクトル（波長３００〜８００ｎｍの紫外可視吸収スペクトル）の最大吸収波長を３８０〜５００ｎｍの範囲内に有する色素を含んでいることが好ましい。これにより、３００〜５００ｎｍの波長領域の光をより効果的に低減することができる。
【００２７】
ＬＥＤ照明体２の一方（下方）の端部２ａには、ＬＥＤ照明体２をもっぱら支持するためだけに用いられる一対の電極（即ち、電気的な接続には用いられないダミーの電極）が平行して設けられている（図示せず）。ＬＥＤ照明体２の他方（上方）の端部２ｂには、直列に接続された光源（発光ダイオード）に供給する電力を電力供給部３から受け入れるための一対の電極が平行して設けられている（図示せず）。電極の形状は一般的な直管型蛍光灯の電極と同じである。
【００２８】
電力供給部３は、リード線Ｌ１，Ｌ２やスイッチ（図示せず）等から構成され、電源Ｇからの電力をＬＥＤ照明体２に供給する。照明器具１を屋外で使用する場合、リード線Ｌ１，Ｌ２は屋外で使用できるものであれば良く、例えば導線断面積が０．７５ｍｍ２以上のゴムキャブタイヤケーブルを使用することができる。なお、ＬＥＤ照明体２は、交流直流変換器を内蔵したものであっても、交流直流変換器を外付けにするものであっても良い。図１の照明器具１は、ＬＥＤ照明体２の内部に、交流直流変換器を内蔵した場合の構造を表している。交流直流変換器を内蔵したものの場合は、リード線Ｌ１，Ｌ２は交流（１００〜２００Ｖ）に接続する。交流直流変換器を外付けにするものでは、リード線Ｌ１，Ｌ２の一次側に交流直流変換器を接続して使用する。
【００２９】
前記一対の電極には、通電側キャップ３０が取付けられる。該通電側キャップ３０は、外部が例えばシリコン樹脂製で、電力供給部３が接続されるＬＥＤ照明体２の上端側の電極に嵌められ、防雨カバー６の内部に挿入される。
【００３０】
支持体４は、棒状で、発光部の向きを変えられるようにＬＥＤ照明体２を支持する。具体的に、ステー４０と、支持用キャップ４１と、照明体ホルダ４２とを備える。該支持体４により、ＬＥＤ照明体２は軸方向周りに回転可能に支持される。
【００３１】
ステー４０は、鋼製で、杆状の本体４００と、下端部が折り曲げられて形成された下屈曲部４０１と、下端部と同じ方向に上端部が折り曲げられて形成された上屈曲部４０２とを備える。
【００３２】
本体４００は、果樹園に設けられた支柱（図示せず）の例えば外面に、その長手方向に沿うように固定され、ＬＥＤ照明体２は、本体４００に沿って上下方向に配置される。なお、左右方向に配置されていてもよい。
【００３３】
支持用キャップ４１は、図４に示すように、有底筒状で、ＬＥＤ照明体２の下端部が挿通される挿通部４１０を備える。
【００３４】
下屈曲部４０１により支持用キャップ４１が回転可能に支持される。具体的に、支持用キャップ４１の下端面が、上屈曲部４０２と対向する下屈曲部４０１の、支持用キャップ４１に対する当接面としての平面である対向面４０１ａに当接し、支持用キャップ４１は回転可能に支持される。
【００３５】
本実施形態の支持用キャップ４１は、軟質樹脂、例えばシリコン樹脂製で、電力供給部３が接続されないＬＥＤ照明体２の下端部に嵌められる。支持用キャップ４１は、平面である下端面が当接物に対して滑りを阻止する程度の摩擦を生じるように形成されている。支持用キャップ４１は、下端面がステー４０の下屈曲部４０１における対向面４０１ａに当接し、この、面同士の当接による摩擦によりＬＥＤ照明体２を位置保持できる。支持用キャップ４１は、シリコン樹脂製であるから、例えば硬質プラスチックに比べると大きな摩擦力を生じさせることができるため、風等の影響によりＬＥＤ照明体２が勝手に回転してしまうことを抑制でき、ＬＥＤ照明体２の位置保持を確実にできる。更に、支持用キャップ４１は、軟質樹脂製であることから、ＬＥＤ照明体２の振動を吸収する振動吸収材として機能し、ＬＥＤ照明体２を保護する効果を奏する。
【００３６】
上屈曲部４０２は、図５に示すように、防雨カバー６の外周面から中心に向かって延出され、下屈曲部４０１と対向する上屈曲部４０２の対向面４０２ａには、防雨カバー６がねじ止めされる。
【００３７】
照明体ホルダ４２は、硬質樹脂製で、湾曲した一対の挟持片４２０，４２０を備えている。照明体ホルダ４２は、本実施形態では上下２箇所に設けられている。一対の挟持片４２０，４２０によって形成される円形の内径は、保護管５の外径よりもわずかに小さく、一対の挟持片４２０，４２０の弾性により、保護管５の外周面に一対の挟持片４２０，４２０の内面が圧接し、保護管５を介してＬＥＤ照明体２の位置保持がなされる。このＬＥＤ照明体２に対する位置保持は、照明体ホルダ４２の弾性による位置保持であるため、ＬＥＤ照明体２の回転位置の調整を容易に行える。照明ホルダ４２は、ＬＥＤ照明体２の発光部の近傍を含む所望の位置に配置可能であるため、光を透過できる透明部材であることが好ましい。
【００３８】
保護管５は、透明樹脂（本実施形態ではポリカーボネート樹脂）からなる管状体で、ＬＥＤ照明体２の外径よりも大きく、ＬＥＤ照明体２の両端部に取り付けられた、通電側キャップ３０と支持用キャップ４１の外径と略同一の内径を有し、内部にＬＥＤ照明体２が挿脱可能に構成されている。ＬＥＤ照明体２は、ステー４０に支持された状態では、外側の保護管５と内側のＬＥＤ照明体２とが同心状に支持されている。保護管５の一方の開口端の内周面と通電側キャップ３０の外周面、及び、保護管５のもう一方の開口端の内周面と支持用キャップ４１の外周面とは略隙間無く嵌合し、保護管５の内周面とＬＥＤ照明体２の外周面との間に密閉された空間が形成される。この密閉空間の外側に保護管５が位置することと、保護管５と前記キャップ３０，４１とが嵌合することとにより、密閉空間の内部には、簡単に水が浸入することがない。また、密閉空間の外側に保護管５が位置することにより、ＬＥＤ照明体２が破損した場合の破片の外部への飛散を防止できる。すなわち、保護管５は、ＬＥＤ照明体２に対する防水性と安全性とを確保している。
【００３９】
防雨カバー６は、ＬＥＤ照明体２への雨や雪による浸水を、保護管５、通電側キャップ３０及び支持用キャップ４１による防水性に加え、更に確実に防止するために設けられており、管状の下被覆部６０と、該下被覆部６０の上端に連設され下被覆部６０よりも小径の管状の上被覆部６１と、該上被覆部６１の上面開口を閉塞する閉塞部６１０とを備える。下被覆部６０と上被覆部６１との間には、段差６１１が形成されている。但し、防雨カバー６の形状はこれに限定されるものではない。
【００４０】
下被覆部６０の内径は、保護管５を含むＬＥＤ照明体２の外径よりも大きく、ＬＥＤ照明体２の通電側キャップ３０（ＬＥＤ照明体２の電極部分を含む）を保護できる大きさになっている。すなわち、電極部分に対する浸水を防止できる。このため、漏電事故の発生を防止できる。
【００４１】
上被覆部６１は、上屈曲部４０２の下面（下屈曲部４０１と対向する対向面４０２ａ）に、径方向に沿って配置された複数のねじＢによって固定されている。
【００４２】
つぎに照明器具１の設置方法について説明する。なお、ステー４０には、予め防雨カバー６が取付けられ、ＬＥＤ照明体２には、通電側キャップ３０が嵌められ、電源供給部３としてのリード線Ｌ１，Ｌ２が接続されているものとする。
【００４３】
まず、作業者は、果樹園に設けられた支柱に、その長手方向に沿ってステー４０を金属バンドやねじで上下方向に固定する。
【００４４】
つぎに、作業者は、ＬＥＤ照明体２に保護管５を外挿し、ＬＥＤ照明体２の一方の端部に支持用キャップ４１を取り付ける。
【００４５】
つぎに、作業者は、ＬＥＤ照明体２のもう一方の端部に、通電側キャップ３０を取り付け、ＬＥＤ照明体２を密閉する。この際、保護管５の下端部の内周面に、支持用キャップ４１の外周面が当接し、保護管５の上端部の内周面に、通電側キャップ３０の外周面が当接し、保護管５の内部に、ＬＥＤ照明体２が保護管５に対し同心状に配置される。
【００４６】
つぎに、作業者は、保護管５の上端部（通電側キャップ３０を含む）を防雨カバー６の内部に挿入し、保護管５の外周面を照明体ホルダ４２の一対の挟持片４２０，４２０により挟んで保持する。これにより、ＬＥＤ照明体２および保護管５は上下方向に支持され、保護管５の外周面は、照明体ホルダ４２の一対の挟持片４２０，４２０により回転可能に保持される。
【００４７】
つぎに、作業者は、ＬＥＤ照明体２の発光部を所望の向きに調整した状態で、支持用キャップ４１とステー４０の下屈曲部４０１とが当接するようにＬＥＤ照明体２を下降させる。支持用キャップ４１と下屈曲部４０１の対向面４０１ａとの当接により、摩擦による位置保持がされるため、回転させたＬＥＤ照明体２を所望の位置で停止させることができる。
【００４８】
ＬＥＤ照明体２は、支持用キャップ４１とステー４０の下屈曲部４０１との摩擦、および照明体ホルダ４２の一対の挟持片４２０，４２０の弾性により、所望の向きを向いた状態で保持されるが、この保持は、ＬＥＤ照明体２（保護管５）を全く動かないように固定している訳ではないので、設置後にＬＥＤ照明体２を適宜回転させて、ＬＥＤ照明体２の発光部の向きを調整することが可能である。
【００４９】
ＬＥＤ照明体２及び支持用キャップ４１の外周には、保護管５が位置することから、該保護管５により、雨水や砂粒等がＬＥＤ照明体２に付着するのを防止できる。このため、屋外設置によるＬＥＤ照明体２及び支持用キャップ４１の劣化を抑制できるので、耐候性を向上できる。
【００５０】
照明器具１が設置された状態では、ＬＥＤ照明体２の上端部は、防雨カバー６で保護されているため、雨水の浸入による漏電を防止できる。また、防雨カバー６から保護管５に向かって流れる雨水の量をできる限り少なくしている。具体的には、雨水を小径の上被覆部６１から大径の下被覆部６０に流れさせることで、雨水にかからない面積を増大させており、保護管５への雨水の流れを少なくしている。
【００５１】
このように、本実施形態によれば、ＬＥＤ照明体２を用いても、効果を発揮する所望の位置に光を照射できるため、夜行性の虫が飛来することを効果的に抑制できる。
【００５２】
なお、本発明に係る照明器具は、前記実施形態に限定することなく種々変更することができる。
【００５３】
例えば、前記実施形態では、照明器具１の用途として、防蛾等の防虫用としたが、これに限定されるものではなく、例えば、生鮮食品がより鮮やかに照らされるよう発光波長を調整したＬＥＤ照明体を用いて、スーパーマーケット等に配置されたショーケースの照明に用いることもできる。
【００５４】
また、前記実施形態では、一対の挟持片４２０，４２０を有する照明体ホルダ４２をＬＥＤ照明体２の軸方向に沿って複数配置し、これら照明体ホルダ４２によってＬＥＤ照明体２の外周面を回転可能に支持するようにしたが、軸方向にＬＥＤ照明体２を支持できる、断面円弧状で樋形状の挟持片を有する照明体ホルダにより支持するようにしてもよい。要は、ＬＥＤ照明体２を回転可能に支持できればよい。更に、照明体ホルダ４２は、ステー４０との固定位置を、所望の位置に変更することもできる。
【００５５】
また、前記実施形態では、シリコン樹脂製の支持用キャップ４１を用いたが、例えばゴム製でもよく、種々の軟質樹脂製とできる。
【００５６】
また、前記実施形態では、ステー４０の下屈曲部４０１における対向面４０１ａと、支持用キャップ４１の下端面とがいずれも平面とされており、平面同士が当接することで摩擦を生じさせていたが、例えば、少なくとも一方の面を凹凸を有する面としたり、凹凸を有する面同士により摩擦を生じさせることもできる。
【００５７】
また、前記実施形態では、硬質樹脂製の照明体ホルダ４２を用いたが、例えば金属製でもよい。
【００５８】
本実施形態では、照明体ホルダ４２をステー４０の上下２箇所に設けたが、ＬＥＤ照明体２を回転可能に支持できれば、個数は限定しない。
【００５９】
また、前記実施形態では、ＬＥＤ照明体２に保護管５を外挿するようにしたが、例えば雨が強く当たらない場所であれば、通電側キャップ３０、支持用キャップ４１、及び防雨カバー６で防水性を確保できるため、保護管５はなくてもよい。
【００６０】
また、前記実施形態では、ＬＥＤ照明体２の端部に対し、支持用キャップ４１を先に取付け、通電側キャップ３０を後で取付けるようにしたが、通電側キャップ３０を先に取付け、支持用キャップ４１を後で取付けてもよい。
【００６１】
また、前記実施形態では、摩擦抵抗によってＬＥＤ照明体２を位置保持できるようにしたが、ステー４０の上屈曲部４０２又は下屈曲部４０１にラチェット機構又はストッパーを設けて、ＬＥＤ照明体２を所望の位置で一時的に不動の状態で停止できるようにしてもよい。
【符号の説明】
【００６２】
１…照明器具、２…ＬＥＤ照明体、２ａ，２ｂ…端部、２０…透光性筒体、３…電力供給部、３０…通電側キャップ、４…支持体、４０…ステー、４００…本体、４０１…下屈曲部、４０２…上屈曲部、４０１ａ，４０２ａ…対向面、４１…支持用キャップ、４２…照明体ホルダ、４２０…挟持片、５…保護管、６…防雨カバー、６０…下被覆部、６１…上被覆部、６１０…閉塞部、６１１…段差、Ｂ…ねじ、Ｇ…電源、Ｌ１，Ｌ２…リード線
【図１】
2018092719.tif 000003
【図２】
2018092719.tif 000004
【図３】
2018092719.tif 000005
【図４】
2018092719.tif 000006
【図５】
2018092719.tif 000007